(57)【要約】【課題】運搬時に持ち上げやすく、強度に優れ、少量の用紙で製造できる段ボール製トレーを提供する。【解決手段】四隅に斜辺を有する八角形とした底壁１の周囲に各一対の側壁２及び端壁３を設け、側壁２を、底壁１に順次連設した外側板４、頂板５及び内側板６から成る二重構造とし、外側板４及び内側板６の両側に隅板７，８を介して折曲片９，１０を連設し、底壁１の斜辺に連設した底隅片１２を起立させて隅板７，８の間に挟み込み、折曲片９，１０を重ねて端壁３の内側に沿わせ、隅板７，８の上端に設けた係合突起１８を、端壁３の上端から延びる桟板１１の斜辺に設けた切欠部１９に係合させ、桟板１１の両側に突設した差込片１３を、側壁２の頂板５に設けた貫穴１４に差し込んで保形する。【選択図】図３
2008094403.tif 000002
【特許請求の範囲】
【請求項１】
底壁(1)の周囲に各一対の側壁(2)及び端壁(3)を設け、側壁(2)を、底壁(1)に順次連設した外側板(4)、頂板(5)及び内側板(6)から成る二重構造とし、外側板(4)及び内側板(6)の両側に連設した折曲片(9,10)を重ねて端壁(3)の内側に沿わせ、端壁(3)の上端から延びる桟板(11)の両側に突設した差込片(13)を、側壁(2)の頂板(5)に設けた貫穴(14)に差し込んで保形する段ボール製トレーにおいて、
底壁(1)を、四隅に斜辺を有する八角形として、その斜辺に底隅片(12)を連設し、外側板(4)及び内側板(6)とそれぞれの折曲片(9,10)との間に隅板(7,8)を介在させ、底隅片(12)を起立させて内外の隅板(7,8)の間に挟み込み、桟板(11)にも両側に斜辺を形成し、隅板(7,8)の上端に設けた係合突起(18)を、桟板(11)の斜辺に設けた切欠部(19)に係合させたことを特徴とする段ボール製トレー。
【発明の詳細な説明】
【技術分野】
【０００１】
この発明は、物品の運搬・保管等に使用する段ボール製トレーに関するものである。
【背景技術】
【０００２】
一般に、野菜、果物等の運搬に使用する段ボール製トレーとして、図４に示すようなものが使用されている。このトレーは、底壁５０の周縁から各一対の側壁５１及び端壁５２を起立させ、端壁５２の上縁から桟板５３を延出し、この桟板５３と側壁５１とを係合させて側壁５１と端壁５２の起立状態を維持するものである。
【０００３】
このトレーでは、側壁５１が外側板５４に頂板５５及び内側板５６を連設した二重構造となっており、端壁５２の内面には、外側板５４及び内側板５６の両側縁から延出された折曲片５７，５８が重ねられ、桟板５３の先端部両側縁に突設した係止片５９を頂板５５の貫穴６０に差し込むことにより、側壁５１と端壁５２とを係合させている。
【発明の開示】
【発明が解決しようとする課題】
【０００４】
しかしながら、上記のようなトレーでは、コーナー部分が角張っているため、運搬に際して、対角位置のコーナー部分に手を押し当てて持ち上げるとき、手に馴染みにくく、また、製造に必要な用紙の使用量が多いという問題もある。
【０００５】
その対策として、底壁を八角形等の多角形とし、底壁及び桟板に斜辺を形成して、その斜辺沿いに折曲片を曲げただけの構成とすると、コーナー部分を強く押したとき、折曲片が内側に入り込むように変形して、野菜等の内容物を傷めるおそれがある。
【０００６】
そこで、この発明は、運搬時に持ち上げやすく、強度に優れ、少量の用紙で製造できる段ボール製トレーを提供することを課題とする。
【課題を解決するための手段】
【０００７】
上記課題を解決するため、この発明は、底壁の周囲に各一対の側壁及び端壁を設け、側壁を、底壁に順次連設した外側板、頂板及び内側板から成る二重構造とし、外側板及び内側板の両側に連設した折曲片を重ねて端壁の内側に沿わせ、端壁の上端から延びる桟板の両側に突設した差込片を、側壁の頂板に設けた貫穴に差し込んで保形する段ボール製トレーにおいて、底壁を、四隅に斜辺を有する八角形として、その斜辺に底隅片を連設し、外側板及び内側板とそれぞれの折曲片との間に隅板を介在させ、底隅片を起立させて内外の隅板の間に挟み込み、桟板にも両側に斜辺を形成し、隅板の上端に設けた係合突起を、桟板の斜辺に設けた切欠部に係合させたのである。
【発明の効果】
【０００８】
この段ボール製トレーでは、コーナー部分が面取状に落とされているため、運搬に際して、対角位置のコーナー部分に手を押し当てて持ち上げるとき、手に馴染んで容易に持ち上げることができる。
【０００９】
また、底隅片が内外の隅板で挟持され、隅板の係合突起が桟板の切欠部に係合しているので、コーナー部分を強く押した場合の変形も防止され、内容物が保護される。
【００１０】
また、従来のコーナー部分が角張ったトレーと比較して、周壁の周方向の長さが短くなるので、製造に必要な用紙の使用量も抑制される。
【発明を実施するための最良の形態】
【００１１】
以下、この発明の実施形態を添付図面に基づいて説明する。
【００１２】
このトレーは、図１に示すような段ボールシートのブランクから形成される。このブランクでは、八角形とした底壁１の長方向の対向する側辺に側壁２が、幅方向の対向する端辺に端壁３がそれぞれ連設され、側壁２は、底壁１側から外側板４、頂板５及び内側板６が順次連設されたものとされている。
【００１３】
外側板４及び内側板６の両側には、それぞれ隅板７，８を介して折曲片９，１０が連設され、端壁３の先端には桟板１１が連設されている。底壁１の四隅の斜辺には、三角状の底隅片１２が連設されている。
【００１４】
桟板１１の両側には差込片１３が連設され、頂板５の両端部には貫穴１４が設けられている。折曲片１０には、対向する側壁２のものが互いに噛み合うように、切溝１５が入れられている。
【００１５】
内側板６の先端中央部には係合突起１６が設けられ、底壁１には、外側板４との境界中央部に貫穴１７が設けられている。
【００１６】
隅板７，８の組立時に上端となる端縁には係合突起１８が設けられ、桟板１１の両側基部に形成された斜辺には、切欠部１９が設けられている。
【００１７】
上記のようなブランクを組み立てるには、図２に示すように、底壁１から対向する側壁２の外側板４を上方へ起こし、頂板５を内側へ折り曲げ、内側板６を下方へ折り曲げて、係合突起１６を貫穴１７に係合させる。
【００１８】
次に、隅板８を斜め内側へ折り曲げ、折曲片１０を端壁３の基端沿いに内側へ折り曲げて、対向する側壁２から延びる切溝１５同士を噛み合わせ、底壁１から底隅片１２を上方へ起こし、隅板７を斜め内側へ折り曲げて、隅板７，８の間に底隅片１２を挟み込む。
【００１９】
そして、図３に示すように、折曲片９を端壁３の基端沿いに内側へ折り曲げ、端壁３を上方へ起こし、桟板１１を内側水平方向へ折り曲げ、係合突起１８を切欠部１９に係合させ、差込片１３を貫穴１４に差し込む。
【００２０】
このとき、桟板１１の厚みにより、係合突起１８は、桟板１１の上面から突出しないようになっている。
【００２１】
上記のような段ボール製トレーでは、側壁２と端壁３の間のコーナー部分が底壁１の斜辺に沿った隅板７，８とされ、面取状に落とされているため、運搬に際して、対角位置のコーナー部分に手を押し当てて持ち上げるとき、稜部が手のひらに食い込むようなことがなく、手に馴染んで容易に持ち上げることができる。
【００２２】
また、底隅片１２が内外の隅板７，８で挟持され、隅板７，８の係合突起１８が桟板１１の切欠部１９に係合しているので、コーナー部分を強く押した場合の変形も防止され、折曲片１０が内側へ迫り出して、内容物の野菜等を傷つけるようなこともない。
【００２３】
また、隅板７，８が支柱となって、段積み時の耐荷重性が向上し、重量のある野菜等を多数収納して積み上げても、高さ方向に変形しにくくなり、係合突起１８が桟板１１から突出していないことと相俟って、安定して積み上げることができる。
【００２４】
また、従来のコーナー部分が角張ったトレーと比較して、各一対の側壁２及び端壁３並びに四隅の隅板７，８から構成される周壁の周方向の長さが短くなるので、製造に必要な用紙の使用量も抑制される。
【図面の簡単な説明】
【００２５】
【図１】この発明の実施形態に係る段ボール製トレーのブランクを示す図
【図２】同上の組立過程を示す斜視図
【図３】同上の組立状態を示す斜視図
【図４】従来の段ボール製トレーを示す斜視図
【符号の説明】
【００２６】
１  底壁
２  側壁
３  端壁
４  外側板
５  頂板
６  内側板
７，８  隅板
９，１０  折曲片
１１  桟板
１２  底隅片
１３  差込片
１４  貫穴
１５  切溝
１６  係合突起
１７  貫穴
１８  係合突起
１９  切欠部
【図１】
2008094403.tif 000003
【図２】
2008094403.tif 000004
【図３】
2008094403.tif 000005
【図４】
2008094403.tif 000006